(57)【要約】【課題】原稿読取時の背景色の変更を自動的に行なえ、しかも通常の原稿読取用の白色面とシェーディング用の白色面を備えていて、常に的確なシェーディングデータを取得できる画像読取装置を提供する。【解決手段】原稿搬送路を挟んで画像読取部と、複数の読取背景面を備えた背景体とを配置する。背景体は、断面コ字状の枠状体で形成する。背景体の各辺面の外面に白色、および黒色のシート体をそれぞれ配置して、通常用の白色の背景面と、シェーディング補正用の白色の背景面と、斜行補正用の黒色の背景面とを設ける。背景体を回転操作する駆動構造を設ける。背景体を駆動構造で回転操作して、通常用の白色の背景面と、シェーディング補正用の白色の背景面との一方を前記画像読取部に対向させる。【選択図】図１
2009290800.tif 000002
【特許請求の範囲】
【請求項１】
原稿搬送路を挟んで画像読取部と、複数の読取背景面を備えた背景体とが配置されており、
前記背景体には、少なくとも通常用の白色の背景面と、シェーディング補正用の白色の背景面とが設けられており、
前記背景体を回転操作して、前記通常用の白色の背景面と前記シェーディング補正用の白色の背景面との一方を、前記画像読取部に対向させる駆動構造が設けてあることを特徴とする画像読取装置。
【請求項２】
前記背景体が、前記原稿搬送路に臨む状態で配置される、断面多角形状の柱状体または枠状体で形成されており、
前記背景体の各辺面に前記通常用の白色の背景面と、前記シェーディング補正用の白色の背景面と、斜行補正用の黒色の背景面が配置してある請求項１記載の画像読取装置。
【請求項３】
前記背景体が３個の辺面を備えた枠体で形成されており、
前記背景体の各辺面の外面に白色および黒色のシート体をそれぞれ配置して、
前記通常用の白色の背景面と、
シェーディング補正用の白色の背景面と、
斜行補正用の黒色の背景面とが形成してある請求項２に記載の画像読取装置。
【請求項４】
前記背景体が、前記原稿搬送路に臨む状態で配置した一対の板状体で構成されており、
前記一対の板状体の一方には通常用の白色の背景面が設けられており、
前記一対の板状体の他方にはシェーディング補正用の白色の背景面が設けられており、
前記一対の板状体を、それぞれの背景面が画像読取部と正対する使用姿勢と、それぞれの背景面が使用姿勢から退避する待機姿勢とに回転操作する駆動構造が設けてある請求項１記載の画像読取装置。
【発明の詳細な説明】
【技術分野】
【０００１】
本発明は、コピー機、ファクシミリ機、スキャナ機などの画像読取装置に関し、なかでもシェーディング補正構造の改良に関する。
【背景技術】
【０００２】
画像読取装置においてシェーディング補正を行なうことは、例えば特許文献１、２に公知である。特許文献１の画像読取装置では、白色基準板を原稿読取位置と退避位置とに揺動できるよう支持し、シェーディング補正を行なう場合にのみ、白色基準板を原稿読取位置に位置させている。このシェーディング補正構造によれば、原稿をイメージセンサーで読み取るとき、白色基準板は退避位置に保持されるので、白色基準板が原稿と接触するのを避けて、原稿の汚れやごみなどが白色基準板に付着するのを防止できる。
【０００３】
特許文献２の画像読取装置では、例えばシリコンゴムで形成された外周面が白色のシェーディングローラを用いて、シェーディング補正データを取得する。シェーディングローラはプラテンガラスに密着しており、原稿が読取位置を通過する際には、前記原稿をプラテンガラスに密着させて、所定速度で搬送する。シェーディングローラの読取領域に汚れがあると判断した場合に、シェーディングローラを所定角度だけ回転させて読取データを取得し、取得したデータによってシェーディング補正を行なうようにしている。また、シェーディングローラの回転回数が上限値に達したら、シェーディングローラの清掃を促す旨の情報を表示して、シェーディングローラの読取領域を汚れのない状態に更新できるようにしている。
【０００４】
本発明の画像読取装置では、原稿読取時の背景色を白色と黒色とに自動的に変更するが、このように、異なる色基準を変位させてＣＣＤで読み込むことは、特許文献３に公知である。そこでは、断面四角形状の基準板の各辺面に、白色の基準面と、黒色の基準面と、白から黒に至る中間諧調に設定された２種類の基準面を設けている。基準面を変更する場合には、第１スキャナと第２スキャナを退避移動した状態で、基準板をその軸心回りに回転変位させて、先のいずれかの基準面を原稿読取位置に位置させる。なお、前記基準板は、各基準面からシェーディング補正用のデータを取得し、これらのデータを用いて画像信号のリニアリティを補正するために設けてある。
【０００５】
【特許文献１】特開平７−１０７２８３号公報（段落番号００２０、図１）
【特許文献２】特開２００５−２２３５６２号公報（段落番号００３４、図４）
【特許文献３】特開平１０−４２１１１号公報（段落番号００２２、図５）
【発明の開示】
【発明が解決しようとする課題】
【０００６】
特許文献１の画像読取装置によれば、原稿読取時に白色基準板を退避位置に保持できるので、原稿の汚れやごみなどが白色基準板に付着するのを防止できる。また、背景色の変更を手動で行なう場合に避けられない白色基準板の汚れを解消できる。しかし、アームの先端に設けた白色基準板をアームごと回動して姿勢の切り換えを行なうので、プラテンローラの周辺にアームおよび白色基準板用の動作空間を確保する必要があり、その分だけ画像読取装置が大形化する。
【０００７】
特許文献２の画像読取装置では、シェーディングローラで原稿をプラテンガラスに密着させて、所定速度で搬送する。そのため、原稿の汚れやごみによって白色面が汚損されるのを避けられない。また、ローラーの外周面に設けた白色面を読み込むので、板状の白色面を読み込む場合に比べて、シェーディングデータにばらつきを生じやすい。
【０００８】
本発明の目的は、原稿読取時の背景面の変更を自動的に行なえ、しかも通常の原稿読取用の白色面とシェーディング補正用の白色面を備えていて、常に的確なシェーディングデータを取得できる画像読取装置を提供することにある。本発明の目的は、斜行補正に対応して原稿読取時の背景面の変更を行なえる背景体を備えた画像読取装置を提供することにある。
【課題を解決するための手段】
【０００９】
本発明の画像読取装置は、原稿搬送路を挟んで画像読取部と、複数の読取背景面を備えた背景体とを配置する。背景体は、少なくとも通常用の白色の背景面と、シェーディング補正用の白色の背景面とを備えている。背景体を回転操作して、通常用の白色の背景面とシェーディング補正用の白色の背景面との一方を、画像読取部に対向させる駆動構造を設ける。
【００１０】
背景体は、原稿搬送路に臨む状態で配置される、断面多角形状の柱状体または枠状体で形成する。背景体の各辺面に通常用の白色の背景面と、シェーディング補正用の白色の背景面と、斜行補正用の黒色の背景面を配置する。
【００１１】
背景体は、３個の辺面を備えた枠体で形成する。背景体の各辺面の外面に白色、および黒色のシート体をそれぞれ配置して、通常用の白色の背景面と、シェーディング補正用の白色の背景面と、斜行補正用の黒色の背景面とを形成する。
【００１２】
背景体は、原稿搬送路に臨む状態で配置した一対の板状体で構成する。一対の板状体の一方には通常用の白色の背景面を設ける。一対の板状体の他方にはシェーディング補正用の白色の背景面を設ける。一対の板状体を、それぞれの背景面が画像読取部と正対する使用姿勢と、それぞれの背景面が使用姿勢から退避する待機姿勢とに回転操作する駆動構造を設ける。
【発明の効果】
【００１３】
本発明の画像読取装置では、原稿搬送路を挟んで画像読取部と、複数の読取背景面を備えた背景体とを配置し、背景体には少なくとも通常用の白色の背景面と、シェーディング補正用の白色の背景面とを設けるようにした。さらに、背景体を駆動構造で回転操作して、通常用の白色の背景面とシェーディング補正用の白色の背景面との一方を画像読取部に対向できるようにした。
【００１４】
このように、背景体に通常用の背景面と、シェーディング補正用の背景面を設けると、各背景面を通常用と補正用に使い分けることができ、通常の画像読取作業を行なう場合に、補正用の背景面が原稿搬送路に臨むのを解消できる。これにより、シェーディング補正用の背景面が原稿と接触するのを避けて、原稿の汚れやごみなどで背景面が汚されるのを確実に防止し、シェーディング補正用の背景面の呈色状態を適正な状態に保持できる。したがって、シェーディング補正を行なう場合には、補正専用の白色の背景面を画像読取部と正対させてデータを取得することにより適正なデータを取得できる。また、原稿搬送路とシェーディング補正用の背景面を板ガラスで隔離する必要がないので、的確なシェーディングデータを得ることができる。背景体を駆動構造で回転操作して、原稿読取時の背景面の変更を自動的に行なえるので、背景色の変更を手動で行なう場合に避けられない白色の背景面の汚れを回避できる。
【００１５】
断面多角形状の柱状体または枠状体で背景体を形成し、背景体の各辺面に通常用の背景面と、シェーディング補正用の背景面と、黒色の背景面を設けると、背景体の姿勢を切り換えるだけで、各背景面を画像読取部と正対させて所定の処理を行なえる。具体的には、上記のように各背景面を通常用と補正用に使い分けながら、黒色の背景面によって原稿の斜行補正を行なえる。
【００１６】
背景体を３個の辺面を備えた枠体で形成し、各辺面の外面に白色および黒色のシート体をそれぞれ配置して背景面を形成すると、シート体を交換することで各背景面を更新できる。例えば、背景面に付着した汚れを払拭し除去する場合に比べて、より簡便に背景面を更新してメンテナンスの手間を軽減でき、しかも背景面の呈色状態をより良好なものとすることができる。シート体の配置形態を変更するだけで、背景面の配置形態が異なる複数種の背景体を構成できる利点もある。
【００１７】
一対の板状体で背景体を構成し、各板状体を駆動構造で回動して、背景面を択一的に画像読取部と正対させる画像読取装置によれば、一対の板状体を使用姿勢と待機姿勢に切り換えるための駆動構造を簡素化できる。例えば、四角形状の背景体を回転させて姿勢を変更する場合には、背景体が画像読取部と接当するのを避ける必要上、背景体を画像読取部から離れる向きに移動したのち回転させる必要があり、駆動構造が複雑になる。しかし、一対の板状体で構成した背景体の場合には、例えば各板状体を単に揺動するだけでよく、駆動構造を簡素化できる。両板状体を待機姿勢にした状態において、板状体の間の黒色の虚空を利用して背景面とするので、別途黒色の背景面を用意する必要がない点でも有利である。
【発明を実施するための最良の形態】
【００１８】
（実施例）  図１から図５は、本発明に係る画像読取装置をコピー機能とファクシミリ機能を備えた複合機に適用した実施例を示す。図２において複合機は、原稿の内容をイメージデータとして読み取る画像読取部（画像読取装置）１と、画像読取部１の下方に配置される画像記録装置２とで構成してある。画像読取部１は、一群の操作ボタンを備えた操作パネル３と、押えカバー４と、押えカバー４の内部に設けられる自動原稿搬送装置５などで構成してある。画像記録装置２は、給紙カセット７と、感光体ユニット８と、同ユニット８にトナーを供給するトナーカートリッジ９と、ローラ群および搬送ガイドを備えた用紙搬送構造１０などで構成してある。給紙カセット７から送出された記録用紙は、用紙搬送構造１０に沿って搬送され、感光体ユニット８によって画像を記録したのち排出される。
【００１９】
図２において自動原稿搬送装置５は、下方のトレイ１２から上方の原稿排出部１３に至るＵ字状の原稿搬送路１４を備えている。原稿搬送路１４の始端には導入ローラ１５が配置され、終端には排出ローラ１６が配置してある。原稿搬送路１４の中途部には、一群の送りローラ１７・１８・１９・２０・２１と、一方の原稿面を読み込む第１画像読取部（画像読取部）２２と、他方の原稿面を読み込む第２画像読取部（画像読取部）２３とが配置してある。原稿搬送路１４を間に挟んで各画像読取部２２・２３と正対する位置には、それぞれ複数の読取背景面を備えた背景体２４・２４が配置してある。
【００２０】
図１において第１画像読取部２２は、フレーム２６の内部に光源２７と、光学レンズ２８と、固体撮像素子（ＣＣＤ素子）２９を配置して構成してある。フレーム２６の下面には原稿搬送路１４に臨む読取窓３０が開口され、透明な窓板３１で塞いである。第２画像読取部２３も同様に構成してある。
【００２１】
背景体２４は、金属製の３個の辺面を備えた枠体３４と、枠体３４の各辺面の外面に形成される背景面３５・３６・３７とで構成する。背景面３５・３６・３７はそれぞれ帯状のシート体を各辺面に接着して形成する。図１において枠体３４の下面に位置する背景面３５の呈色状態は黒であり、枠体３４の側面および上面に位置する背景面３６・３７の呈色状態はそれぞれ白である。
【００２２】
背景体２４の長手方向の両端は補正フレーム４０で回転可能に支持されており、図示していない駆動構造で背景体２４を回転操作することにより、各画像読取部２２・２３と正対する辺面を変更することができる。枠体３４の各辺面が各画像読取部２２・２３と正対する状態において、各辺面の原稿搬送方向の上流側にはリブ状の突起３８が形成してある。突起３８の突端は、背景面３５・３６・３７の表面より突出しており、したがって読取原稿が背景面３５・３６・３７の表面に接触するのを防止できる。
【００２３】
背景体２４は次のように姿勢を変更して背景面を使い分ける。通常のコピーを行なう場合には、図１に示すように白色の背景面３７を各画像読取部２２・２３の窓板３１と正対させる。このとき、シェーディング補正用の白色の背景面３６は原稿搬送路１４の外方に保持されている。シェーディング補正を行なう場合には、図３に示すように白色の背景面３６を画像読取部２２の窓板３１と正対させて背景面とする。原稿の斜行補正を行なう場合には、図４に示すように黒色の背景面３５を画像読取部２２の窓板３１と正対させて背景面とする。背景体２４は窓板３１に近接する状態で配置してあるため、各背景面３５・３６・３７が窓板３１と正対する状態のままで背景体２４を回転することはできない。そこで、この実施例においては図５に矢印で示すように、背景体２４を窓板３１から離れる向きに移動させたのち、背景体２４を回転操作して各背景面３５・３６・３７を切り換えるように駆動構造を構成している。
【００２４】
図６から図８は背景体２４の別の実施例を示す。そこでは、背景体２４を、原稿搬送路１４に臨む状態で隣接して配置した一対の板状体４３・４４で構成する。各板状体４３・４４は白色のプラスチック成形品からなり、その片面を背景面３６・３７とする。各板状体４３・４４は補正フレーム４０で揺動可能に支持してあり、図示していない駆動構造で各板状体４３・４４を個別に揺動させて、使用姿勢と待機姿勢とに切り換えることができる。使用姿勢における各板状体４３・４４は、それぞれ白色の背景面３６・３７が窓板３１と正対し、待機姿勢における各板状体４３・４４は、図８に示すように背景面３６・３７が窓板３１と直交する平面に沿う姿勢になる。他は先の実施例と同じであるので、同じ部材に同じ符号を付してその説明を省略する。
【００２５】
背景体２４は次のように姿勢を変更して背景面を使い分ける。通常のコピーを行なう場合には、図６に示すように図に向かって右側の板状体４４を使用姿勢にして、背景面３７を窓板３１と正対させる。シェーディング補正を行なう場合には、図７に示すように図に向かって左側の板状体４３を使用姿勢にして、背景面３６を窓板３１と正対させる。原稿の斜行補正を行なう場合には、図８に示すように左右の板状体４３・４４を待機姿勢にして、板状体４３・４４の間の黒色の虚空を背景面とする。
【００２６】
本発明の画像読取装置は、複合機以外に、コピー機、ファクシミリ機、スキャナ機にも適用できる。上記の実施例においては、３個の辺面を備えた枠体３４を基体にして背景体２４を構成したがその必要はなく、背景体２４は断面多角形状の柱状体または枠状体で形成することができる。通常用の背景面と、シェーディング補正を行なうための背景面は、それぞれ複数の辺面に設けることができる。板状体４３・４４は、揺動により使用姿勢と待機姿勢とに切り換える必要はなく、斜めに平行移動させて使用姿勢と待機姿勢とに切り換えることができる。
【図面の簡単な説明】
【００２７】
【図１】背景体と画像読取部の関係構造を示す縦断面図である。
【図２】コピー機の概略構造を示す配置説明図である。
【図３】背景体を変移した状態の縦断面図である。
【図４】背景体をさらに変移した状態の縦断面図である。
【図５】背景体の変移途中状態を示す縦断面図である。
【図６】背景体の別の実施例を示す縦断面図である。
【図７】背景体を変移した状態の縦断面図である。
【図８】背景体を待機位置へ戻した状態の縦断面図である。
【符号の説明】
【００２８】
１４  原稿搬送路
２２  第１画像読取部（画像読取部）
２３  第２画像読取部（画像読取部）
２４  背景体
３４  枠体
３５  背景面
３６  背景面
３７  背景面
【図１】
2009290800.tif 000003
【図２】
2009290800.tif 000004
【図３】
2009290800.tif 000005
【図４】
2009290800.tif 000006
【図５】
2009290800.tif 000007
【図６】
2009290800.tif 000008
【図７】
2009290800.tif 000009
【図８】
2009290800.tif 000010